(57)【要約】      （修正有）【課題】簡単な操作で走路の変更を瞬時に行うことができる走路切り替え装置の提供。【解決手段】以下の要件を備えたことを特徴とする走路切り替え装置。（イ）上記走路切り替え装置は、直線路１と該直線路１に直交する直交路２とがＴ字状に合流する三叉路３と、該三叉路３に設けられた走路切り替え部材４とで構成され（ロ）上記走路切り替え部材４は略三角形の盤状部材で構成され、該走路切り替え部材４は上記三叉路３に対し水平方向及び上下方向に回動可能に、走路切り替え部材４の頂点部４ａが上記三叉路３の合流点の外側に取着され（ハ）上記走路切り替え部材４を水平方向に回動したときには直線路１の一端側又は他端側を閉鎖するとともに直線路１の他端側又は一端側と直交路２とを連続させ、上方に回動したときには直線路１を開放する。【選択図】図１
0003113699.tif 000002
【実用新案登録請求の範囲】
【請求項１】
以下の要件を備えたことを特徴とする走路切り替え装置。
（イ）上記走路切り替え装置は、直線路と該直線路に直交する直交路とがＴ字状に合流する三叉路と、該三叉路に設けられた走路切り替え部材とで構成されていること
（ロ）上記走路切り替え部材は略三角形の盤状部材で構成され、該走路切り替え部材は上記三叉路に対し水平方向及び上下方向に回動可能に、走路切り替え部材の頂点部が上記三叉路の合流点の外側に取着されていること
（ハ）上記走路切り替え部材を水平方向に回動したときには直線路の一端側又は他端側を閉鎖するとともに直線路の他端側又は一端側と直交路とを連続させ、上方に回動したときには直線路を開放すること
【請求項２】
前記走路切り替え部材は前記頂点部に対向する底辺部は円弧状に形成され、該底辺部と前記三叉路の側壁とで湾曲した走路を構成するようにした、請求項1記載の走路切り替え装置。
【考案の詳細な説明】
【技術分野】
【０００１】
本考案は、走路切り替え装置、詳しくは３つの走路が合流する三叉路に設けられ、走行玩具の走路をワンタッチで変更することができる走路切り替え装置に関するものである。
【背景技術】
【０００２】
従来、走行玩具を走行させる走行路は予め定められた走行路（例えば、周回路）を走行するだけで、単純な走行しかさせることはできず、コースのレイアウトは限定されていた。そこで、コースのレイアウトをユーザーが自由に切り替えることができる走路切り替え装置が提案されている（例えば、特許文献１）。この切り替え装置は、三叉路の中央付近の走路上に３本のガイドレバーを回動可能に配置し、回動させるガイドレバーの組み合わせを変えることにより、任意の走路を形成することができるようにしたものである。
【特許文献１】実開平６−７５５９０号公報
【考案の開示】
【考案が解決しようとする課題】
【０００３】
本考案が解決しようとする問題点は、上述の切り替え装置は３本のガイドレバーがそれぞれ個別に回動可能に走行路に取付けられているため、操作時には３つのガイドレバーを考えながら動かさなければならないため、ワンタッチで切り替えをすることができない点であり、走行玩具の走行中に瞬時に切り替えることができず、走行玩具の走行に支障をきたす恐れがある点であった。
【０００４】
本考案は、上記問題点を解決し、簡単な操作で走路の変更を瞬時に行うことができる走路切り替え装置を提供することを課題とする。
【課題を解決するための手段】
【０００５】
前記課題を解決するために本考案に係る走路切り替え装置は、以下の要件を備えたことを特徴とする。
（イ）上記走路切り替え装置は、直線路と該直線路に直交する直交路とがＴ字状に合流する三叉路と、該三叉路に設けられた走路切り替え部材とで構成されていること
（ロ）上記走路切り替え部材は略三角形の盤状部材で構成され、該走路切り替え部材は上記三叉路に対し水平方向及び上下方向に回動可能に、走路切り替え部材の頂点部が上記三叉路の合流点の外側に取着されていること
（ハ）上記走路切り替え部材を水平方向に回動したときには直線路の一端側又は他端側を閉鎖するとともに直線路の他端側又は一端側と直交路とを連続させ、上方に回動したときには直線路を開放すること
【０００６】
なお、前記走路切り替え部材は前記頂点に対向する底辺部は円弧状に形成され、該底辺部と前記三叉路の側壁とで湾曲した走路を構成するようにすればよい。
【考案の効果】
【０００７】
本考案によれば、走路切り替え部材を水平方向で回動したときには、直線路の一端側又は他端側を閉鎖するとともに直線路の他端側又は一端側と直交路とを連続させるので、直線路の他端側又は一端側から三叉路に進入した走行玩具は直交路に進み、走路切り替え部材を上方に回動したときには、直線路の他端側又は一端側から三叉路に進入した走行玩具は、そのまま直線路の一端側又は他端側に進行させることができ、走路切り替え部材の簡単な操作で、瞬時に走路の変更を行うことができ、走行玩具が走行中であっても容易に走路の変更を行うことができる。
【考案を実施するための最良の形態】
【０００８】
図１は、本考案に係る走路切り替え装置Aの斜視図を示し、この走路切り替え装置Aは直線路１と該直線路１に直交する直交路２とがＴ字状に合流する三叉路３と切り替え部材４とで構成されている。
【０００９】
上記三叉路３は、直線路１を構成する第１の走路１ａ、第２の走路１ｂと、第１の走路１ａと第２の走路１ｂとの連続部分に直交する直交路２とで形成され、第１の走路１ａと第２の走路１ｂとが形成する辺に相当する部位に形成されたガイド壁５は直線状に形成され、第１の走路１ａと直交路２とが形成するガイド壁６と、第２の走路１ｂと直交路２とが形成するガイド壁７は内側に向かって円弧状に膨出して形成されている。
【００１０】
なお、三叉路３の開口部には図示しない他の走路が連結できるように、連結部８が形成されている。形成されている連結部８は、係合突部８ａと係合受け部８ｂとで構成され、係合突部８ａが接続する他の走路の端部に形成された係合受け部８ｂに係合し、係合受け部８ｂが接続する他の走路の端部に形成された係合突部８ａにそれぞれ係合させることにより三叉路３と他の走路とを連結できるようになっている。
【００１１】
図２に示すように、三叉路３の後部には、後方に突出して支持台１０が形成され、この支持台１０の中央には円形の貫通孔１１が形成されている。この貫通孔１１の開口縁１１ａは内方に膨出し、上記切り替え部材４を支持する支持部材１２が貫通孔１１の下方から挿入できるようになっている。この支持部材１２は、支持筒１３、上部シャフト１４、スプリング１５、下部シャフト１６で構成され、上部シャフト１４、スプリング１５、下部シャフト１６は、固定プレート１７を支持台１０に下側からネジ止めすることによりスプリング１５を圧縮した状態で支持筒１３内に収容されるようになっている。
【００１２】
図３に示すように、上記支持筒１３の両側面にはストッパー１８が突出形成されるとともに縦に係合溝１９が形成され、内周面の前後にはそれぞれガイド凸部２０が上下方向に形成されている。上記ストッパー１８は上記支持台１０の貫通孔１１の開口縁１１ａに係合して支持筒１３の突出を制限するもので、係合時には支持筒１３は上部のみが支持台１０の上面から上方に突出するようになっている。
【００１３】
上部シャフト１４は前後面に縦方向に係合溝２２が形成され、底面にはスプリング１５に係合する係合軸２３が突出形成され、下部シャフト１６は有底筒状で左右の側面には縦方向に係合凸部２４が形成され、底面には断面三角形状の係合凸部２５が左右方向に形成されている。
【００１４】
上記支持筒１３の係合溝１９には、上述した下部シャフト１６の両側面に縦方向に形成された係合凸部２４が係合し、下部シャフト１６は支持筒１３内を上下動できるとともに、支持筒１３の周方向への回動時に支持筒１３と一体で回動するようになっており、ガイド凸部２０には上部シャフト１４の前後面に形成された係合溝２２が係合し、上部シャフト１４は支持筒１３内を上下動できるとともに、支持筒１３の周方向への回動時に支持筒１３と一体で回動するようになっている。
【００１５】
なお、支持筒１３の前面下部に突出して形成された凸部２６は、支持筒１３の回動時に貫通孔１１内に形成された図示しないストッパーに当接し、支持筒１３が支持台１０の貫通孔内で必要以上に回動しないようにするためのものである。
【００１６】
さらに、支持筒１３は上面に三角形状に支持板２７が２枚突出形成され、この支持板２７に形成された軸孔２８と、切り替え部材４に形成された軸孔２９とに支軸３０を挿通することにより切り替え部材４が支軸３０で支持筒１３に対し上下に回動可能に軸支されている。
【００１７】
固定プレート１７は、略三角形状の板部材で中央には円形の凹部３１が形成され、この凹部３１の底には３本のＶ字状の凹溝３２、３３、３４が交差して形成され、この凹溝３２、３３、３４には上記下部シャフト１６の底面に形成された係合凸部２５が係合し、支持筒１３の周方向の回動位置を固定するスタビライザーの機能を構成している。
【００１８】
なお、符号３５は、固定プレート１７を支持台１０にネジ止めする際に、支持台１０に形成された図示しない係合凸縁に係合させ、取付位置がずれないようにするための位置決め用の凹溝である。
【００１９】
切り替え部材４は平面視略三角形状に形成され、頂点に位置する頂点部４ａの裏面には上記支持筒１３の支持板２７に支軸３０で上下に回動可能に連結される連結部４０が形成され、底辺部４ｂは円弧状に形成されるとともに底辺部４ｂの両端は膨出して張り出し部４２、４３が形成され、底辺部４ｂと張り出し部４２、４３とは頂点部４ａに向かって円弧状に湾曲して形成されている。この円弧の径は第１の走路１ａと直交路２とが形成するガイド壁６と、第２の走路１ｂと直交路２とが形成するガイド壁７との径と同心円状で、底辺部４ｂとガイド壁６、７とで走路の走路幅と同じ走路幅を形成することができるようになっている。
【００２０】
そして、連結部４０は切り替え部材４の頂点部４ａ裏面から下方に膨出した膨出部で構成され、この連結部４０に形成された軸孔２９と支持板２７の軸孔２８とに上記支軸３０を挿通することにより、切り替え部材４は支軸３０を中心に上下に回動できるようになっている。
【００２１】
さらに、切り替え部材４の裏面には円弧状のガイド部４５が突出形成され、切り替え部材４を支軸３０を中心に、下方に回動させたときには張り出し部４２、４３が三叉路３の円弧状のガイド壁６、５上に当接するとともに、ガイド部４５の底部も三叉路３の走路面に当接するようになっている（図４（ａ）参照）。
【００２２】
この状態で、切り替え部材４を反時計方向に回動させたときには、下部シャフト１６の係合凸部２５が固定プレート１７の凹溝３３に係合して回動位置が固定され、図５（ａ）に示すように、第２の走路１ｂと直交路２とが連続し、時計方向に回動させたときには、下部シャフト１６の係合凸部２５が固定プレート１７の凹溝３４に係合して回動位置が固定され、図５（ｂ）に示すように、第１の走路１ａと直交路２とが連続するようになっている。
【００２３】
そして、切り替え部材４を上方に回動させたときには、上部シャフト１４と膨出部４０の背面４０ａと、スプリング１５により付勢された上部シャフト１４の上面とが当接し、上方に回動した状態が維持できるようになっている（図４（ｂ）参照）。この状態では、第１の走路１ａと第２の走路１ｂとが連続し、ガイド部４５が三叉路３の上方に退避するので、走行玩具を第１の走路１ａから第２の走路１ｂに、又は第２の走路１ｂから第１の走路１ａに直進させることができる。
【００２４】
上述したように、切り替え部材を下方に回動して水平状態にし、時計方向又は反時計方向に回動させることにより、走路を走行してきた走行玩具は切り替え部材４の底辺部４ｂに沿って直線路から直交路、若しくは直交路から直線路にカーブを描いて走行させることができ、切り替え部材４を上方に回動して起こした場合は、直線路１を開放するので直線路１に進入してきた走行玩具はそのまま直進させることができ、簡単な操作で走行玩具の走路を瞬時に変更することができ、走行玩具が走路を走行中であっても走路の変更を可能にする走路切り替え装置を実現することができる。
【図面の簡単な説明】
【００２５】
【図１】本考案に係る走路切り替え装置の斜視図
【図２】上記走路切り替え装置の分解斜視図
【図３】上記走路切り替え装置の要部を説明する分解斜視図
【図４】（ａ）（ｂ）は三叉路と切り替え部材との関係を説明する側面図
【図５】（ａ）（ｂ）は三叉路と切り替え部材との関係を説明する平面図
【符号の説明】
【００２６】
１    直線路
２    直交路
３    三叉路
４    走路切り替え部材
【図１】
0003113699.tif 000003
【図２】
0003113699.tif 000004
【図３】
0003113699.tif 000005
【図４】
0003113699.tif 000006
【図５】
0003113699.tif 000007